(57)【要約】【課題】操作釦とプリント基板との間にある隙間は、静電気の侵入を許す。この侵入は、プリント基板上の電気回路に影響する。【解決手段】電子機器は、操作釦の動きを検知するタッチパネルを操作釦の背後に常設する。操作釦の背後とは、操作釦の背面が存在する空間である。背面とは、操作者によって操作される面の裏面である。常設とは、配置が固定されることである。タッチパネルは、表示装置の表示面上から操作釦の背後に延びている。表示装置に含まれるバックライトは、操作釦の背後に常設される。操作釦は、バックライトからの光を透過する。【選択図】図１
2008288064.tif 000002
【特許請求の範囲】
【請求項１】
操作釦と、
前記操作釦の背後に常設され、前記操作釦の動きを検知するタッチパネルとを備える電子機器。
【請求項２】
前記タッチパネルは、表示装置の表示面上から前記背後に延びている、請求項１の電子機器。
【請求項３】
前記表示装置のバックライトは、前記操作釦の背後に常設される請求項２の電子機器。
【請求項４】
前記操作釦は、前記バックライトからの光を透過する、請求項３の電子機器。
【請求項５】
タッチパネルと、
前記タッチパネル上に常設される操作釦とを備える電子機器。
【請求項６】
前記操作釦は、前記表示装置のバックライト上に常設される、請求項５の電子機器。
【請求項７】
前記操作釦は、前記バックライトからの光を透過する、請求項６の電子機器。
【発明の詳細な説明】
【技術分野】
【０００１】
本発明は、操作釦を備える電子機器に関する。
【背景技術】
【０００２】
車載電子機器では、操作釦が表示画面の周囲に配置されている（非特許文献１）。一般的には、操作釦への操作を検知するために、タクトスイッチは、操作釦とプリント基板との間に設けられる。しかも、操作釦を照らすために、ＬＥＤは、タクトスイッチの周囲に設けられる。
【非特許文献１】松下電器産業株式会社著「ＨＤＤカーナビステーション  ＣＮ−ＨＤＳ９５５ＭＤ/ＣＮ−ＨＤＳ９３５ＭＤ/ＣＮ−ＨＤＳ９０５Ｄ  取扱説明書」（２００５年５月６日発行、Ｐ．２５）
【発明の開示】
【発明が解決しようとする課題】
【０００３】
操作釦とプリント基板との間にある隙間は、静電気の侵入を許す。この侵入は、プリント基板上の電気回路に影響する。
【課題を解決するための手段】
【０００４】
本発明に係る電子機器は、操作釦の動きを検知するタッチパネルを操作釦の背後に常設し、又は、操作釦をタッチパネルの上に常設する。本発明における字句の解釈は、次のとおりである。
【０００５】
操作釦は、有体物である。操作釦は、アイコン等のソフトウエア釦のみからなる釦ではない。操作釦の素材は、透光性を有する。
【０００６】
操作釦の背後とは、操作釦の背面が存在する空間である。背面とは、操作者によって操作される面の裏面である（以下、同じ）。操作釦は、バックライトからの光を透過する。すなわち、操作釦は、透光性の材料からなる。
【０００７】
常設とは、同じ位置にいつでも設けられることである（以下、同じ）。これと異なる概念は、特開２００４−３８０７９号公報及び特開２００７−７３３９８号公報に開示される。
【０００８】
タッチパネルは、一般的には、シート状又は板状である。タッチパネルの検知方式は、問わない。例えば、感圧方式や静電容量方式等がある。タッチパネルは、表示装置の表示面上から操作釦の背後に延びている。
【０００９】
表示装置は、バックライト及び表示面（例えば、ＴＦＴ液晶等）を備える。表示装置に含まれるバックライトは、操作釦の背後に常設される。
【発明の効果】
【００１０】
タッチパネルを操作釦の背後に常設し、又は操作釦をタッチパネル上に常設することは、タクトスイッチ及びプリント基板を省く。したがって、静電気への耐性は、向上する。
【発明を実施するための最良の形態】
【００１１】
本発明を実施するための最良の形態（以下、本実施の形態という）は、図１乃至図５で示される。
【００１２】
＜電子機器の構成＞本実施の形態に係る電子機器の分解図は、図１で示される。電子機器１０は、化粧パネル１１、操作釦１２、タッチパネル１３及び表示装置１４からなる。
【００１３】
化粧パネル１１は、表示枠１１ａ及び釦枠１１ｂを有する。表示枠１１ａは、ユーザの指などがタッチパネル１３に接触することを可能にする。また、表示枠１１ａは、ユーザが表示装置１４上の画像を見ることを可能にする。釦枠１１ｂは、操作釦１２が収まる程度の大きさを有する。
【００１４】
操作釦１２は、釦枠１１ｂの内側に設けられる。操作釦１２は、操作面１２ａ、背面１２ｂ及び端面１２ｃを有する（図２）。
【００１５】
操作面１２ａは、文字部１２ｄ及び透過部１２ｅからなる（図３）。透過部１２ｅは、光を透過する。すなわち、操作釦１２の素材は、透光性を有する。
【００１６】
背面１２ｂは、操作面１２ａの裏面である（図２）。背面１２ｂは、弾性材（例えば、ゴムやバネ等）２０を有する。弾性材２０は、その変位量に関係なく、タッチパネル１３に接する。操作面１２ａが加圧されないと、弾性材２０の変位は、ゼロである（いわゆる自然長）。他方、操作面１２ａが加圧されると、弾性材２０の変位は、ゼロではない（例えば、３ｍｍ等）。
【００１７】
端面１２ｃは、操作面１２ａに対して段差をなす（図２）。端面１２ｃ及び釦枠１１ｂは、ストッパとしての機能を有する。すなわち、弾性材２０の変位がゼロである場合（図２）、端面１２ｃは、釦枠１１ｂに接する。他方、弾性材２０の変位がゼロでない場合（図４）、端面１２ｃは、釦枠１１ｂから離れる。
【００１８】
タッチパネル１３は、化粧パネル１１と表示装置１４との間に設けられる。タッチパネル１３の幅Ｌｔは、表示枠１１ａの幅Ｌ１よりも長い（Ｌｔ＞Ｌ１）。また、幅Ｌｔは、化粧パネル１１ａの幅Ｌ２よりも短い（Ｌｔ＜Ｌ２）。さらに、タッチパネル１３の高さＨｔは、表示枠１１ａの高さＨ以上である。つまり、タッチパネル１３は、操作釦１２の背後にある。しかも、タッチパネル１３の素材は、透光性を有する。また、タッチパネル１３は、圧力値Ｐ以上で反応する。この圧力値Ｐは、自然長の弾性材２０から受ける圧力値よりも大きな値に設定される。
【００１９】
表示装置１４は、表示面（例えば、ＴＦＴ液晶画面等）１４ａ及び図示されないバックライトからなる。表示面１４ａは、タッチパネル１３で覆われる。すなわち、表示面１４ａの幅Ｌｄは、タッチパネル１３の幅Ｌｔに等しい（Ｌｄ＝Ｌｔ）。また、表示面１４ａの高さＨｄは、タッチパネル１３の高さＨｔに等しい。つまり、表示装置１４は、操作釦１２の背後にある。しかも、表示面１４ａは、各種情報（経路案内情報やＴＶ番組等）を表示するための領域１４ｂ及び操作釦１２を照らすための領域１４ｃに分かれる（図５）。図示しない表示駆動用ＩＣは、領域１４ｂ及び領域１４ｃの間でバックライトの光量や色等を異ならせる。
【００２０】
＜本実施の形態における効果＞本実施の形態によれば、操作釦１２への操作を検出するために、タクトスイッチ及びプリント基板が不要になる。したがって、静電気への耐性は、向上する。
【００２１】
本実施の形態によれば、表示装置１４のバックライトの配置は、弾性材２０の配置によって規制されない。したがって、操作釦１２への照明は、色ムラを生じない。
【００２２】
本実施の形態によれば、操作釦１２の背面１２ｂは、表示装置１４のバックライトで照らされる。また、バックライトの光量や色などは、表示駆動用ＩＣによって制御可能である。したがって、照明の態様は、ユーザの好みに合う。
【００２３】
＜変形例＞弾性材２０の代用品は、化粧パネル１１及び操作釦１２と一体成形されるヒンジ等である。この変形例によれば、ユーザによる加圧がない場合、操作釦１２は、タッチパネル１３に接しない。すなわち、タッチパネル１３の感度を調整するために、弾性材２０による圧力を考慮する必要はなくなる。
【産業上の利用可能性】
【００２４】
本発明は、ナビゲーション装置やオーディオ装置などに有用である。
【図面の簡単な説明】
【００２５】
【図１】本実施の形態に係る電子機器を示す分解図
【図２】本実施の形態に係る電子機器のＡ−Ａ断面を示す断面図
【図３】本実施の形態における操作釦の操作面を示す正面図
【図４】本実施の形態に係る電子機器のＡ−Ａ断面を示す断面図
【図５】本実施の形態に係る表示装置における領域の割り当てを示す図
【符号の説明】
【００２６】
１０    電子機器
１２    操作釦
１３    タッチパネル
１４    表示装置
【図１】
2008288064.tif 000003
【図２】
2008288064.tif 000004
【図３】
2008288064.tif 000005
【図４】
2008288064.tif 000006
【図５】
2008288064.tif 000007